(57)【特許請求の範囲】
【請求項１】
揮散性の薬剤を保有し、表面がほぼ平坦面となった非通気性の薬剤保有体の表面に、送風機によって空気を、その送風方向が前記薬剤保有体の表面と直角に対して斜めで、前記表面の一端部から他端部に向けて流れるように送風し、
前記非通気性の薬剤保有体の表面に加わる風圧により、当該非通気性の薬剤保有体の表面に沿った空気層流を生じさせ、その空気層流の方向に前記薬剤保有体から揮散した薬剤を拡散することを特徴とする薬剤の拡散方法。
【請求項２】
容器１０内に、揮散性の薬剤を保有し、表面がほぼ平坦面となった非通気性の薬剤保有体と、送風機を対向して設け、
前記薬剤保有体の表面を、当該表面の一端部が送風機に近く、かつ他端部が送風機と遠くなるように、前記送風機の送風方向と直角に対して斜めとし、
前記送風機と前記薬剤保有体との間に、当該送風機が送風した気流を、前記非通気性の薬剤保有体の表面の一端部に送風ガイドする送風ガイドを備えたことを特徴とする薬剤拡散装置。
【請求項３】
前記薬剤保有体を容器１０に着脱自在に設けた請求項２記載の薬剤拡散装置。
【発明の詳細な説明】
【０００１】
【発明の属する技術分野】
本発明は、風圧で生じる気流を利用して気中に薬剤を拡散させる揮散性の薬剤の拡散方法およびこれを利用した薬剤の拡散装置に関するものである。
【０００２】
【従来の技術】
従来、所定の場所に速やかに揮散性の薬剤を拡散させる方法として、例えば、図１３に示すように、揮散性の薬剤を保有した通気性の薬剤保有体４０に向けてファン４１で送風し、その薬剤保有体４０を通過した気流４２に薬剤を乗せて拡散する方法が知られている。
【０００３】
前述の拡散方法を利用した薬剤拡散装置が種々提案されている。
例えば、吸込口と吐出口とを結ぶ空気通路を有する容器と、この容器内の空気通路に設けた通気性の薬剤保有体と、送風ファンを備え、その薬剤保有体をファンの前方側、または後方側に配設した薬剤拡散装置が知られている。
この薬剤拡散装置は、送風機を駆動することで、空気通路に沿った吸込口から吐出口に向う気流が発生し、その気流が薬剤保有体を通過し、その薬剤保有体からの薬剤を乗せて吐出口から容器外に拡散させる。
【０００４】
【発明が解決しようとする課題】
前述の薬剤の拡散方法は、送風された気流が薬剤保有体を通過する際に抵抗を受けるので、その送風された気流の全てを薬剤の拡散に有効利用できない。
したがって、薬剤の拡散効率が悪い。
【０００５】
前述の薬剤拡散装置は、薬剤保有体の通気度や送風機の風量などと規制条件を有する。また、そのための薬剤保有体の材質規格、形状の成形精度などの厳しい品質管理が要求されるなど商品開発の負担が大きい。また、薬剤の保有量が制限されるなどから業務用タイプ或いは大型化（薬剤を多量に保持）に不向きと言える。
【０００６】
本発明は、前述の課題に鑑みなされたものであり、送風した気流を無駄なく利用して効率良く薬剤を拡散できる薬剤拡散方法、及び設計の自由度があって容易に小型化、大型化ができる薬剤拡散装置を提供することを目的とする。
【０００７】
【課題を解決するための手段】
すなわち、本発明は、
（１）揮散性の薬剤を保有し、表面がほぼ平坦面となった非通気性の薬剤保有体の表面に、送風機によって空気を、その送風方向が前記薬剤保有体の表面と直角に対して斜めで、前記表面の一端部から他端部に向けて流れるように送風し、
前記非通気性の薬剤保有体の表面に加わる風圧により、当該非通気性の薬剤保有体の表面に沿った空気層流を生じさせ、その空気層流の方向に前記薬剤保有体から揮散した薬剤を拡散することを特徴とする薬剤の拡散方法である。
（２）容器１０内に、揮散性の薬剤を保有し、表面がほぼ平坦面となった非通気性の薬剤保有体と、送風機を対向して設け、
前記薬剤保有体の表面を、当該表面の一端部が送風機に近く、かつ他端部が送風機と遠くなるように、前記送風機の送風方向と直角に対して斜めとし、
前記送風機と前記薬剤保有体との間に、当該送風機が送風した気流を、前記非通気性の薬剤保有体の表面の一端部に送風ガイドする送風ガイドを備えたことを特徴とする薬剤拡散装置である。
（３）前記薬剤保有体を容器１０に着脱自在に設けた前記（２）記載の薬剤拡散装置である。
【０００８】
【作  用】
（１）前述の（１）記載の薬剤拡散方法によれば、送風した気流を薬剤の拡散に無駄なく利用でき、効率よく薬剤を拡散することができる。
（２）前述の（２）記載の薬剤拡散装置によれば、送風原理が単純且つ簡単であり、拡散装置の小型化および大型化などと設計が容易である。
（３）前述の（３）記載の薬剤拡散装置によれば、薬剤保持体を交替できる。
【０００９】
【発明の実施の形態】
以下、図面を参照して本発明を詳細に説明するが、本発明はかかる図面のみに限定されるものではない。
（薬剤拡散方法の実施の形態）
図１に示すように、揮散性の薬剤を保有した非通気性の薬剤保有体１の表面１ａに向けて送風機２で強制的に送風する。
前記薬剤保有体１の表面１ａに風圧が加わり、その風圧によって薬剤保有体１の表面１ａに沿った空気層流３を発生する。
この空気層流３に揮散した薬剤が乗り、空気層流３の方向に薬剤が拡散する。
【００１０】
前述のように、送風機２から送風された空気（気流）は、ほとんど全てが薬剤保有体１の表面１ａに沿って流れるので、その空気（気流）が薬剤の拡散に無駄なく利用される。
したがって、効率良く薬剤を拡散できる。
【００１１】
また、空気層流３は薬剤保有体１の表面１ａ全域に沿って流れるので、薬剤保有体１の全表面から揮散した薬剤を、空気層流３の方向に拡散できる。
したがって、送風能力の小さな送風機２を用いて、表面積の大きな薬剤保有体１から薬剤を効率良く拡散することができ、長期間に亘って薬剤を拡散し続けることが可能である。
【００１２】
前述のように、薬剤保有体１の全表面に沿って空気層流３が流れるようにするには、図２（ａ），（ｂ）に示すように、送風方向（矢印ａ）に対して薬剤保有体１の表面１ａが直角に対して斜めとすれば良いが、本発明は、図２（ｂ）に示すように表面１ａの一端部から他端部に向けて流れるようにした。前記送風方向（矢印ａ）と薬剤保有体１の表面１ａとの角度θは、１０度〜１７０度の範囲が最も好ましい。
【００１３】
（薬剤拡散装置の実施の形態）
図３に示すように、容器体１０内に薬剤保有体１１と送風機１２が対向して設けてある。
前記容器体１０は、半球形状の上面板１３、周面板１４、下面板１５を有する筒形状である。
前記下面板１５に吸込口１６が形成してある。
前記上面板１３に吐出口１７が形成してある。
前記薬剤保有体１１は、非通気性で、揮散性の薬剤を保有している。
この薬剤保有体１１は容器体１０の上面板１３に設けてある。
【００１４】
前記送風機１２は、電池収容部１８と電動モータ１９と送風ファン２０と送風ガイド２１を備えている。
前記電池収容部１８に電池２２が収容され、この電池２２で電動モータ１９を駆動する。
送風ガイド２１は送風ファン２０の外周に位置する筒形状で、その出口２１ａは薬剤保有体１１と対向している。この送風ガイド２１の送風ファン２０よりも下部寄りに空気取入口２３が形成してある。
【００１５】
送風ファン２０を回転することで、吸込口１６、空気取入口２３を通して空気が吸い込みされ、薬剤保有体１１の表面１１ａに吹きつけられる。
これによって、薬剤保有体１１の表面１１ａに沿った空気層流２４が発生し、その空気層流２４に揮散した薬剤が乗り、吐出口１７から容器体１０の外部に拡散する。
【００１６】
前記送風ファン２０で送風される空気（気流）は送風ガイド２１によって拡散が防止され、整流として全量が薬剤保有体１１に吹きつけられる。
よって、送風機１２の送風した気流をより一層無駄なく薬剤の拡散に利用できる。
【００１７】
前記非通気性の薬剤保有体１１とは、表面から裏面に空気気流を通過しないと共に、薬剤を保有した部材を意味する。具体的には、▲１▼非通気性部材からなる容器体１０の風圧箇所（上面板内面）に薬剤を塗着、接着させる。つまり、容器体１０と薬剤で薬剤保有体とする。
▲２▼前述の▲１▼の風圧箇所に、薬剤を含浸させた薬剤保持体を貼ったり、風圧箇所（上面板内面）に装着部を形成しておき、そこに薬剤保持体を装着する、つまり、容器体１０と薬剤保持体で薬剤保有体とする。
▲３▼前述の▲１▼の容器体１０の風圧箇所（上面板）に挿入用の開口部を設け、その開口部から薬剤保有体１１を挿入して取付ける。
▲４▼前述の▲３▼の開口部に、薬剤保持体をケースに収容した薬剤保有体を挿入する。
▲５▼容器１０の風圧箇所（上面板）に開口部が形成され、その開口部に薬剤保有体を嵌合する。
▲６▼薬剤を吸収する非通気性部材からなる容器体１０の風圧箇所（上面板内面）に薬剤を含浸する、などが挙げられる。
【００１８】
前述の図３に示す容器体１０は非通気性部材からなる。その上面板１３の内面に薬剤を含浸したシート２５を貼着して薬剤保有体１１としてある。
これに限ることはなく、例えば、容器体１０を薬剤を吸収する非通気性の陶器やパルプ・プラスチック複合物などで成型したものとし、その容器体１０の風圧部分に薬剤を含浸した非通気性の薬剤保有体１１として使用することもできる。含浸手段としては、薬剤液を垂らし浸透させたり、薬剤液保有物を載置し浸透させるなどが例示できる。また、この薬剤浸透域を区画することも可能である。
更に、薬剤を容器体１０の風圧箇所に塗布したり、装着部を形成しておき、保持体を装着することもできる。
【００１９】
前述の薬剤保有体１１の風圧を受ける面、つまり表面の形状は、図３に示す半球凹形状に限ることはなく、その表面の形状を変化させる事で、気流の流れを変えたり、風圧面に強弱を与えたり、流速に落差を発生させたり、気流の流路を作ったり、乱気流を発生させるなどができ、使用する薬剤に応じて選択し拡散量の安定化を図ったり、またはいろいろな商品形状にも寄与できる。
【００２０】
前述の図３は、本発明を理解し易くする第１の参考実施の形態であり、本発明は、図４に示す実施の形態のように、薬剤保有体１１の表面１１ａを斜め上向きに傾斜した平坦面形状とし、１つの吐出口１７から突出させるようにした。
これによって、薬剤の拡散方向を斜め上方の１ヶ所とすることができる。
【００２１】
図５は第２の参考実施の形態で、薬剤保有体１１の表面１１ａを上向きに湾曲した形状とする。
これにより、薬剤の拡散方向を湾曲した上向きとすることができる。
【００２２】
図６に示すように、薬剤保有体１１の表面１１ａを波形状とする。
これによって、空気層流の流れに強弱が生じ、薬剤の平均的拡散を計ることができる。
【００２３】
図７に示すように、薬剤保有体１１の表面に流れガイド２６を設ける。
これによって、空気層流の流れ方向がはっきりとし、薬剤を定めた方向に正確に拡散できる。
【００２４】
前述の図４〜図７は、薬剤保有体１１自体の形状を示しているが、容器体１０の風圧箇所（例えば上面板１３）を、前述した図４〜図７に示す薬剤保有体１１の表面形状と同一とし、その部分に薬剤を含浸、接着などすることで薬剤保有体１１としても良い。
【００２５】
薬剤保有体１１を容器体１０に着脱自在に取付けても良い。
このようにすれば、容器体１０を共通として種々の薬剤を保有した薬剤保有体１１を用いることができるし、薬剤が揮散終了したら新らしい薬剤保有体１１と交換できる。
【００２６】
例えば、図８と図９に示すように容器体１０に挿入開口部３０を形成する。
薬剤保有体１１を挿入開口部３０に挿入、抜き出し自在とする。
具体的には、容器体１０を矩形状とし、その周面板１４に挿入開口部３０を形成する。薬剤保有体１１を矩形薄板のカード形状とする。
前記挿入開口部３０を長方形状とし、カード形状の薬剤保有体１１が挿入、抜き出し自在とする。
この場合には、吐出口１７を挿入開口部３０と反対側に形成し、その吐出口１７よりも上方に薬剤保有体１１が挿入されるようにする。
また、送風ガイド２１の出口２１ａ寄り部分を湾曲させると共に、出口２１ａを矩形状とし、カード形状の薬剤保有体１１の幅方向略全面に送風できるようにしてある。
【００２７】
図１０と図１１に示すように、ケース３１に薬剤を含浸したシート状の薬剤保持体３２を設けて薬剤保有体１１とする。ケース３１の下面に気流入口３１ａが形成され、ケース３１の下内面と薬剤保持体３２の下面との間に空気流通路３１ｂを有する。
矩形状の容器体１０の対向した２面にケース３１が挿入・抜き出し自在な挿入開口部３０を対向して形成する。
前記ケース３１の気流入口３１ａと反対側に気流出口３１ｃを形成し、前記空気流通路３１ｂに流通する気流で薬剤保持体３２から揮散した薬剤がケース３１の気流出口３１ｃ、挿入開口部３０（吐出口１７）から拡散するようにする。
【００２８】
このようにすれば、ケース３１とともに薬剤保持体３２を容器体１０に挿入・抜き出しできる。
なお、ケース３１を容器体１０に固定し、シート状の薬剤保持体３２を挿入・抜き出しするようにすることも可能である。
【００２９】
図１２は第３の参考実施の形態で、容器体１０の風圧箇所、例えば上面板１３に開口部３３を形成する。
この開口部３３に薬剤保有体１１を着脱自在とする。例えば嵌め込み、ねじ止め、回し止めで取付ける。
例えば、開口部３３にねじ止めされる筒状ケース３４内に下向き漏斗形状の薬剤保持体３５を取付け、その筒状ケース３４の薬剤保持体３５よりも下部に吐出口１７を形成する。
【００３０】
前記非通気性の薬剤保有体１１としては、空気気流を通過しない材料、例えば、金属、プラスチック、木材、陶器、紙、合成紙、ガラスなどの成形物、或いは、前記成形物と薬剤を含有、保持する担体との組み合わせ、または前記担体とその収容容器などが挙げられる。
【００３１】
前記担体としては、紙、合成紙、木材、樹脂、陶器、天然繊維、合成繊維などの加工物、成形物が例示できる。また、収容容器として、プラスチックなど非通気性材料から成る。
【００３２】
前記送風ガイド２１の形状は、送風機１２からの送風を非通気性の薬剤保有体１１の所定表面に集中する役割を果たす形であればよく、筒形状が円形の他に三角形、正方形、多角形などの中空形状が例示される。また、非通気性の薬剤保有体１１の形態や送風機１２の大きさによっては、その先端部を、細くしたり、広げたりすることも有効である。
【００３３】
本発明に用いる薬剤としては、従来より用いられている殺虫、忌避、殺ダニなどの害虫防除剤、或いは消臭、芳香、除菌、防菌防黴などに用いられている各種薬剤が挙げられる。その具体例としては、次の物が例示できる。
【００３４】
（害虫防除剤）
ピレスロイド系殺虫剤：アレスリン、ｄｌ・ｄ−Ｔ８０−アレスリン、ｄｌ・ｄ−Ｔ−アレスリン、ｄ・ｄ−Ｔ−アレスリン、ｄ・ｄ−Ｔ８０−プラレトリン、レスメトリン、ｄｌ・ｄ−Ｔ８０−レスメトリン、エンペントリン、テラレスリン、トランスフルスリン、フタルスリン、ｄｌ・ｄ−Ｔ８０−フタルスリン、フラメトリン、ペルメトリン、フェノトリン、イミプロスリン、シペルメトリン、エトフェンプロテックス、テフルスリン、フェンフルスリン等
害虫成長制御剤：ピリプロキシフェン、メトプレン、ハイドロプレン、フェノキシカルプ等
害虫忌避剤：ディート、ジメチルフタレート、ジブチルフタレート、２−エチル−１、３−ヘキサンジオール、ｐ−ジクロルベンゼン、カプリン酸ジエチルアミド、カンファー等
機能性天然精油：アニス油、オレンジ油、カシア油、グレープフルーツ油、シソ油、クローブ油、シトロネラ油、シナモン油、ハッカ油、ヒバ油、ヒノキ油、ペパーミント油、ユーカリ油、レモングラス油、ゼラニウム油、フェンネル油等
【００３５】
（消臭剤）
シトロネラ油、レモングラス油、ボルニルアセテート、安息香酸メチル、安息香酸エチル、フェニル酢酸エチル等
【００３６】
（芳香剤）
動物性、植物性の天然香料、或いは炭化水素、アルコール、アルデヒド、ケトン、ラクトン、オキシド、エステル類等の人工香料
【００３７】
（防菌防黴剤）
エチルアルコール、プロピルアルコール、フェノール、チモール、ｏ−フェニルフェノール、ヒノキチアゾール等
【００３８】
（有害動物忌避剤）
【００３９】
送風機１２としては、複数枚の傾斜羽根を駆動軸に放射状に設けたプロペラファンで送風を行う軸流式送風機，駆動軸に平行な方向に多数の羽根を円筒状に設け、駆動軸と直交する方向へ送風を行う多翼式送風機なとが例示でき、音が少ない、電池で駆動が可能である事から一般家庭用としては好ましい。ただし、広い場所での使用、作業を早めるなどを要求される業務用の場合は前記送風機に限定せず、商用電源、又は充電式を想定した送風機を採用することができる。
【００４０】
前記送風機１２の送風として、風速が０．１〜１５ｍ／秒、風量が０．５〜３０，０００リットル／分の範囲である。具体的には、家庭用規模で、風速０．１〜３ｍ／秒、風量０．５〜９００リットル／分が好ましい。業務用規模で、風速２〜１５ｍ／秒、風量１２０〜３０，０００リットル／分が好ましい。
前記風速が０．１ｍ／秒以下の場合、非通気性の薬剤保有体にぶち当てることにより生じる風圧気流が弱く、薬剤を遠方まで拡散することが難しくなり、且つ、希望する風量を得ることが難しくなる。また、該風量が０．５リットル／分以下の場合、充分な薬剤量を拡散することが難しくなってくる。ここで言う風速と風量の関係式は次式で表せる。
風量（リットル／分）＝風速（ｍ／秒）×６０００×吐出口面積（ｃｍ２）／１０００
【００４１】
更に、薬剤の揮散量を大きくしたり、比較的揮散しにくい薬剤を揮散させる場合、加熱手段により、送風空気、又は導入空気を予熱することにより行うことができる。
【００４２】
【発明の効果】
請求項１に係る発明によれば、送風機から送風された気流のほとんどは薬剤保有体の表面の一端部に吹きつけられて他端部に向けて流れ、その表面に沿った空気層流となる。
薬剤保有体から揮散した薬剤は、前記空気層流に乗り、その方向に拡散される。
したがって、送風した気流を薬剤の拡散に無駄なく利用でき、効率より薬剤を拡散することができる。
【００４３】
請求項２に係る発明によれば、送風機から送風した気流を薬剤保有体の表面の一端部に吹きつけ、その表面に沿った空気層流とするだけであるから、送風原理が単純且つ簡単で、送風機の風量などに規制条件がないし、薬剤保有体の材質、形状精度に厳しい制約を受けなく、薬剤の保有量に制限がない。
したがって、設計の自由度があり、薬剤拡散装置を小型化および大型化できる。
【００４４】
請求項３に係る発明によれば、薬剤保有体を交替できる。
【図面の簡単な説明】
【図１】  本発明の薬剤拡散方法の参考実施の形態を示す説明図である。
【図２】  （ａ）薬剤保有体と送風方向を斜めとした参考説明図である。
（ｂ）本発明の薬剤拡散方法の説明図である。
【図３】  本発明の薬剤拡散装置の第１の参考実施の形態を示す断面図である。
【図４】  本発明の薬剤拡散装置の第１の実施の形態を示す断面図である。
【図５】  本発明の薬剤拡散装置の第２の参考実施の形態を示す断面図である。
【図６】  薬剤保有体の他の形状を示す斜視図である。
【図７】  薬剤保有体の他の形状を示す斜視図である。
【図８】  本発明の薬剤拡散装置の第２の実施の形態を示す平面図である。
【図９】  断面図である。
【図１０】  本発明の薬剤拡散装置の第３の実施の形態を示す断面図である。
【図１１】  薬剤保有体の斜視図である。
【図１２】  本発明の薬剤拡散装置の第３の参考実施の形態を示す断面図である。
【図１３】  従来の薬剤拡散方法の説明図である。
【図１】
0004771446.tif 000002
【図２】
0004771446.tif 000003
【図３】
0004771446.tif 000004
【図４】
0004771446.tif 000005
【図５】
0004771446.tif 000006
【図６】
0004771446.tif 000007
【図７】
0004771446.tif 000008
【図８】
0004771446.tif 000009
【図９】
0004771446.tif 000010
【図１０】
0004771446.tif 000011
【図１１】
0004771446.tif 000012
【図１２】
0004771446.tif 000013
【図１３】
0004771446.tif 000014